(57)【要約】【課題】軸方向に充分な長さを確保できる部材を回転させて、容易にピント調整を行うことができるレンズ調整機構。【解決手段】撮像レンズを保持すると共に、外周面に雄ネジを有し、且つ、前記撮像レンズの光軸方向であって前記撮像レンズによる結像面側に突出した突出部を有するレンズ枠と、前記突出部を光軸方向に案内する案内部を有する保持部材と、内周面に前記レンズ枠の雄ネジと螺合する雌ネジを有する鏡筒と、を備え、前記鏡筒の前記結像面側の端部を前記保持部材に当接させながら前記鏡筒を回転させることにより、前記雌ネジ及び前記雄ネジを介して前記レンズ枠を光軸方向に直進移動させて前記撮像レンズの位置を調整すること。【選択図】図２
2008064942.tif 000002
【特許請求の範囲】
【請求項１】
撮像レンズを保持すると共に、外周面に雄ネジを有し、且つ、前記撮像レンズの光軸方向であって前記撮像レンズによる結像面側に突出した突出部を有するレンズ枠と、
前記突出部を光軸方向に案内する案内部を有する保持部材と、
内周面に前記レンズ枠の雄ネジと螺合する雌ネジを有する鏡筒と、
を備え、
前記鏡筒の前記結像面側の端部を前記保持部材に当接させながら前記鏡筒を回転させることにより、前記雌ネジ及び前記雄ネジを介して前記レンズ枠を光軸方向に直進移動させて前記撮像レンズの位置を調整することを特徴とするレンズ調整機構。
【請求項２】
前記レンズ枠の被写体側の面に前記雄ネジの一部を切り欠いた凹部を設け、
前記撮像レンズの調整後に、前記凹部に接着剤を注入して前記レンズ枠と前記鏡筒とを接合すると共に、前記鏡筒の被写体側の端部と前記保持部材とを接着剤にて接合することを特徴とする請求項１に記載のレンズ調整機構。
【請求項３】
撮像レンズを保持し、且つ、第１の外周面より前記撮像レンズの光軸と直交する方向に突出した突出部を有すると共に、前記突出部における円弧状の第２の外周面に雄ネジを有するレンズ枠と、
内周面にて前記第１の外周面と嵌合し、且つ、前記突出部における光軸方向の側壁と摺接して前記突出部と嵌合する案内部を有する保持部材と、
前記雄ネジに螺合する雌ネジを有する調整治具と、
を備え、
前記調整治具の雌ネジを前記レンズ枠の雄ネジに螺合させ、前記調整治具を定位置で回転させることにより、前記雌ネジ及び前記雄ネジを介して前記レンズ枠を光軸方向に直進移動させて前記撮像レンズの位置を調整することを特徴とするレンズ調整機構。
【請求項４】
前記撮像レンズの調整後に、前記レンズ枠における前記撮像レンズによる結像面側の端部は前記保持部材の案内部における前記結像面側の端部より常に前記結像面側に位置していることを特徴とする請求項３に記載のレンズ調整機構。
【請求項５】
前記レンズ枠の被写体側の面に前記第１の外周面の一部を切り欠いた凹部を設け、
前記撮像レンズの調整後に、前記凹部に接着剤を注入して前記レンズ枠と前記保持部材とを接合することを特徴とする請求項３又は請求項４に記載のレンズ調整機構。
【請求項６】
前記突出部における前記結像面側の端部と前記保持部材の案内部とが成す空隙を接着剤にて密閉することを特徴とする請求項５に記載のレンズ調整機構。
【請求項７】
前記接着剤が固化した後に、前記調整治具を抜脱することを特徴とする請求項５又は請求項６に記載のレンズ調整機構。
【請求項８】
撮像レンズを保持し、且つ、外周面より前記撮像レンズの光軸と直交する方向に突出した突出部を有すると共に、光軸と直交する方向に前記突出部より突出したカムピンを有するレンズ枠と、
内周面にて前記レンズ枠の外周面と嵌合し、且つ、前記突出部における光軸方向の側壁と摺接して前記突出部と嵌合する案内部を有する保持部材と、
内周面に前記カムピンに係合するカム溝を有する調整治具と、
を備え、
前記調整治具のカム溝を前記レンズ枠のカムピンに係合させ、前記調整治具を定位置で回転させることにより、前記カム溝及び前記カムピンを介して前記レンズ枠を光軸方向に直進移動させて前記撮像レンズの位置を調整することを特徴とするレンズ調整機構。
【請求項９】
前記撮像レンズの調整後に、前記レンズ枠における前記撮像レンズによる結像面側の端部は前記保持部材の案内部における前記結像面側の端部より常に前記結像面側に位置していることを特徴とする請求項８に記載のレンズ調整機構。
【請求項１０】
前記レンズ枠の被写体側の面に前記外周面の一部を切り欠いた凹部を設け、
前記撮像レンズの調整後に、前記凹部に接着剤を注入して前記レンズ枠と前記保持部材とを接合することを特徴とする請求項８又は請求項９に記載のレンズ調整機構。
【請求項１１】
前記突出部における前記結像面側の端部と前記保持部材の案内部とが成す空隙を接着剤にて密閉することを特徴とする請求項１０に記載のレンズ調整機構。
【請求項１２】
前記接着剤が固化した後に、前記調整治具を抜脱することを特徴とする請求項１０又は請求項１１に記載のレンズ調整機構。
【請求項１３】
撮像レンズを保持すると共に、外周面にカム溝を有し、且つ、前記撮像レンズの光軸方向であって前記撮像レンズによる結像面側に突出した突出部を有するレンズ枠と
前記突出部を光軸方向に案内する案内部を有する保持部材と、
内周面に前記カム溝と係合するカムピンを有する調整治具と、
を備え、
前記調整治具のカムピンを前記レンズ枠のカム溝に係合させ、前記調整治具の前記結像面側の端部を前記保持部材に当接させながら前記調整治具を回転させることにより、前記カムピン及びカム溝を介して前記レンズ枠を前記撮像レンズの光軸方向に直進移動させて前記撮像レンズの位置を調整することを特徴とするレンズ調整機構。
【請求項１４】
前記調整治具の外周面を切り欠いた開口部を設け、
前記撮像レンズの調整後に、前記開口部より接着剤を注入して前記レンズ枠と前記保持部材とを接合することを特徴とする請求項１３に記載のレンズ調整機構。
【請求項１５】
前記接着剤が固化した後に、前記調整治具を抜脱することを特徴とする請求項１４に記載のレンズ調整機構。
【請求項１６】
被写体像を前記撮像レンズにより結像する撮像素子と、
請求項１〜１５の何れか１項に記載のレンズ調整機構と、
を備えたことを特徴とする撮像装置。
【発明の詳細な説明】
【技術分野】
【０００１】
本発明は、撮像レンズを光軸方向に直進移動させて撮像レンズの位置を調整するレンズ調整機構に関する。
【背景技術】
【０００２】
従来より小型化した撮像装置が携帯電話機やＰＤＡ（Ｐｅｒｓｏｎａｌ  Ｄｉｇｉｔａｌ  Ａｓｓｉｓｔａｎｔ）等の携帯端末に搭載されている。この撮像装置に用いられる撮像レンズが明るいレンズである場合には焦点深度が浅くなるので、製造工程で撮像レンズを光軸方向に進退させてピント調整を行う必要がある。
【０００３】
このようにピント調整を行う技術として、撮像レンズを保持するレンズ枠（鏡筒）と、レンズ枠と撮像素子等を保持する円筒状の保持部材（ホルダー）とを備え、レンズ枠の外周より側方に突出したフランジ部の後端面と保持部材の先端面とにそれぞれ傾斜端面を設けて互いに接触させ、レンズ枠を回転させることによりレンズ枠が撮像レンズの光軸方向に移動するレンズ調整機構が知られている（特許文献１参照）。
【０００４】
また、撮像レンズを保持するレンズ枠（第１開口絞り付き押え）と、レンズ枠を保持する円筒状の保持部材（ホルダー）とを備え、撮像レンズの外周より側方に突出した突起を保持部材の内周面に設けたカム溝に係合させ、レンズ枠を回転させることによりレンズ枠が撮像レンズの光軸方向に移動するレンズ調整機構が知られている（特許文献２参照）。
【特許文献１】特開２００４−９４０１３号公報
【特許文献２】特開２００２−８２２７１号公報
【発明の開示】
【発明が解決しようとする課題】
【０００５】
撮像レンズと撮像素子等を備えたユニットとしての撮像装置は携帯電話機やＰＤＡに組み込む前にピント調整を行っておくのが一般的である。このピント調整に関し、上記の特許文献１，２においては、レンズ枠の外周部を指で持って回転させることになるが、共に光軸方向の長さが短いので回転させ難く、作業効率が悪い。また、ピント調整を自動化しようとした場合にも、レンズ枠の外周部をロボットアームで把持するのが困難である。
【０００６】
また、特許文献１，２においては、レンズ枠が共に保持部材より被写体側に突出している。従って、ピント調整を行った後に、撮像装置の運搬等の工程において何らかの外力がレンズ枠に掛かり、調整したピントがずれる虞がある。また、ピント調整によって個々のレンズ枠の先端部の位置が異なるので、光軸方向に長さが各々異なる撮像装置が量産され、小型の携帯電話機等に組み込む際に寸法管理上の問題が生ずる。
【０００７】
このような問題を解消するために、レンズ枠の先端部が保持部材の先端部より突出しなように構成したレンズ調整機構が考えられる。この一例を図１の断面図に示す。
【０００８】
図１において、１は撮像レンズである。２は撮像レンズ１を保持すると共に、外周面に雄ネジ２ａを有するレンズ枠である。４は内周面に雄ネジ２ａと螺合する雌ネジ４ａを有する保持部材である。５はＣＣＤ等の撮像素子であって、プリント配線基板６に実装され、プリント配線基板６は保持部材４に取り付けられている。７は見苦しい部分を被覆する化粧板である。
【０００９】
このようなレンズ調整機構において、レンズ枠２の被写体側の面に雄ネジ２ａの一部を切り欠いた凹部２ｂを光軸Ｏの点対称位置に２個設け、２個の凹部２ｂに、かに目スパナを係合させてレンズ枠２を回転させて、雌ネジ４ａに螺合した雄ネジ２ａを介してレンズ枠２を光軸Ｏの方向に進退させて撮像レンズ１の位置を調整する。そして、調整後に凹部２ｂに接着剤Ｓを注入し、レンズ枠２と保持部材４を接合する。
【００１０】
しかし、このようなレンズ調整機構においては、かに目スパナの係合に安定性が欠けるので作業効率が良くなく、また、かに目スパナの係合ではピント調整の自動化が困難である。その上、調整後の凹部２ｂの回転方向の位置が個々に異なるので、接着剤Ｓの注入の自動化も困難である。更に、かに目スパナを凹部２ｂに係合させため、凹部２ｂは強度上の理由である程度の大きさが必要であって、全体の外径を細くして小型化を図ることが困難である。
【００１１】
寸法の一例を図１に示すが、この場合の保持部材４の半径は４．０５ｍｍとなり、小型化には未だ不充分である。
【００１２】
本発明はかかる問題に鑑みてなされたものであり、軸方向に充分な長さを確保できる部材の外周部を把持して回転させることにより、非常に回転させ易くて容易にピント調整を行うことができ、更に、該部材の外周部をロボットアームで把持してピント調整の自動化を行うことも容易であるレンズ調整機構及び該レンズ調整機構を備えた撮像装置を提案することを目的とする。
【課題を解決するための手段】
【００１３】
前記目的は、下記に記載した発明により達成される。
１．撮像レンズを保持すると共に、外周面に雄ネジを有し、且つ、前記撮像レンズの光軸方向であって前記撮像レンズによる結像面側に突出した突出部を有するレンズ枠と、
前記突出部を光軸方向に案内する案内部を有する保持部材と、
内周面に前記レンズ枠の雄ネジと螺合する雌ネジを有する鏡筒と、
を備え、
前記鏡筒の前記結像面側の端部を前記保持部材に当接させながら前記鏡筒を回転させることにより、前記雌ネジ及び前記雄ネジを介して前記レンズ枠を光軸方向に直進移動させて前記撮像レンズの位置を調整することを特徴とするレンズ調整機構。
２．前記レンズ枠の被写体側の面に前記雄ネジの一部を切り欠いた凹部を設け、
前記撮像レンズの調整後に、前記凹部に接着剤を注入して前記レンズ枠と前記鏡筒とを接合すると共に、前記鏡筒の被写体側の端部と前記保持部材とを接着剤にて接合することを特徴とする１に記載のレンズ調整機構。
３．撮像レンズを保持し、且つ、第１の外周面より前記撮像レンズの光軸と直交する方向に突出した突出部を有すると共に、前記突出部における円弧状の第２の外周面に雄ネジを有するレンズ枠と、
内周面にて前記第１の外周面と嵌合し、且つ、前記突出部における光軸方向の側壁と摺接して前記突出部と嵌合する案内部を有する保持部材と、
前記雄ネジに螺合する雌ネジを有する調整治具と、
を備え、
前記調整治具の雌ネジを前記レンズ枠の雄ネジに螺合させ、前記調整治具を定位置で回転させることにより、前記雌ネジ及び前記雄ネジを介して前記レンズ枠を光軸方向に直進移動させて前記撮像レンズの位置を調整することを特徴とするレンズ調整機構。
４．前記撮像レンズの調整後に、前記レンズ枠における前記撮像レンズによる結像面側の端部は前記保持部材の案内部における前記結像面側の端部より常に前記結像面側に位置していることを特徴とする３に記載のレンズ調整機構。
５．前記レンズ枠の被写体側の面に前記第１の外周面の一部を切り欠いた凹部を設け、
前記撮像レンズの調整後に、前記凹部に接着剤を注入して前記レンズ枠と前記保持部材とを接合することを特徴とする３又は４に記載のレンズ調整機構。
６．前記突出部における前記結像面側の端部と前記保持部材の案内部とが成す空隙を接着剤にて密閉することを特徴とする５に記載のレンズ調整機構。
７．前記接着剤が固化した後に、前記調整治具を抜脱することを特徴とする５又は６に記載のレンズ調整機構。
８．撮像レンズを保持し、且つ、外周面より前記撮像レンズの光軸と直交する方向に突出した突出部を有すると共に、光軸と直交する方向に前記突出部より突出したカムピンを有するレンズ枠と、
内周面にて前記レンズ枠の外周面と嵌合し、且つ、前記突出部における光軸方向の側壁と摺接して前記突出部と嵌合する案内部を有する保持部材と、
内周面に前記カムピンに係合するカム溝を有する調整治具と、
を備え、
前記調整治具のカム溝を前記レンズ枠のカムピンに係合させ、前記調整治具を定位置で回転させることにより、前記カム溝及び前記カムピンを介して前記レンズ枠を光軸方向に直進移動させて前記撮像レンズの位置を調整することを特徴とするレンズ調整機構。
９．前記撮像レンズの調整後に、前記レンズ枠における前記撮像レンズによる結像面側の端部は前記保持部材の案内部における前記結像面側の端部より常に前記結像面側に位置していることを特徴とする８に記載のレンズ調整機構。
１０．前記レンズ枠の被写体側の面に前記外周面の一部を切り欠いた凹部を設け、
前記撮像レンズの調整後に、前記凹部に接着剤を注入して前記レンズ枠と前記保持部材とを接合することを特徴とする８又は９に記載のレンズ調整機構。
１１．前記突出部における前記結像面側の端部と前記保持部材の案内部とが成す空隙を接着剤にて密閉することを特徴とする１０に記載のレンズ調整機構。
１２．前記接着剤が固化した後に、前記調整治具を抜脱することを特徴とする１０又は１１に記載のレンズ調整機構。
１３．撮像レンズを保持すると共に、外周面にカム溝を有し、且つ、前記撮像レンズの光軸方向であって前記撮像レンズによる結像面側に突出した突出部を有するレンズ枠と
前記突出部を光軸方向に案内する案内部を有する保持部材と、
内周面に前記カム溝と係合するカムピンを有する調整治具と、
を備え、
前記調整治具のカムピンを前記レンズ枠のカム溝に係合させ、前記調整治具の前記結像面側の端部を前記保持部材に当接させながら前記調整治具を回転させることにより、前記カムピン及びカム溝を介して前記レンズ枠を前記撮像レンズの光軸方向に直進移動させて前記撮像レンズの位置を調整することを特徴とするレンズ調整機構。
１４．前記調整治具の外周面を切り欠いた開口部を設け、
前記撮像レンズの調整後に、前記開口部より接着剤を注入して前記レンズ枠と前記保持部材とを接合することを特徴とする１３に記載のレンズ調整機構。
１５．前記接着剤が固化した後に、前記調整治具を抜脱することを特徴とする１４に記載のレンズ調整機構。
１６．被写体像を前記撮像レンズにより結像する撮像素子と、
１〜１５の何れか１項に記載のレンズ調整機構と、
を備えたことを特徴とする撮像装置。
【発明の効果】
【００１４】
本発明のレンズ調整機構及び撮像装置によれば、軸方向に充分な長さを確保できる部材の外周部を把持して回転させることにより、非常に回転させ易くて容易にピント調整を行うことができ、更に、該部材の外周部をロボットアームで把持してピント調整の自動化を行うことも容易である。
【発明を実施するための最良の形態】
【００１５】
［第１の実施の形態］
レンズ調整機構の第１の実施の形態を図２及び図３に基づいて説明する。図２はレンズ調整機構の断面図、図３はレンズ調整機構の要部斜視図である。
【００１６】
図において、１１は撮像レンズである。１２は撮像レンズ１１を保持すると共に、外周面に雄ネジ１２ａを有し、且つ、撮像レンズ１１の光軸Ｏの方向であって撮像レンズ１１による結像面側に突出した二つの突出部１２ｂを有するレンズ枠である。１３は内周面に雄ネジ１２ａと螺合する雌ネジ１３ａを有する鏡筒である。１４は各々の突出部１２ｂを光軸Ｏの方向に案内する案内部としての二つの長溝１４ａを有する保持部材である。１５は被写体像を撮像レンズ１１によって結像するＣＣＤ等の撮像素子であって、プリント配線基板１６に実装され、プリント配線基板１６は保持部材１４に取り付けられている。１７は見苦しい部分を被覆する化粧板である。
【００１７】
このように構成したレンズ調整機構において、鏡筒１３の結像面側の端部を保持部材１４に当接させながら、鏡筒１３を回転させる。この際に、レンズ枠１２の二つの突出部１２ｂが各々二つの長溝１４ａに挿入されているので、レンズ枠１２は保持部材１４に対して回転することができず、直進移動のみ可能である。従って、鏡筒１３を定位置で回転させ、雌ネジ１３ａと螺合する雄ネジ１２ａを介して、レンズ枠１２を光軸Ｏの方向に直進移動させて、撮像レンズ１１の撮像素子１５へのピント位置を調整する。
【００１８】
ここで、レンズ枠１２には被写体側の面に雄ネジ１２ａの一部を切り欠いた二つの凹部１２ｃを設けてある。そこで、ピント調整後に、凹部１２ｃに接着剤Ｓを注入し、レンズ枠１２と鏡筒１３とを接合する。続いて、鏡筒１３と保持部材１４とも接着剤Ｓにて接合する。
【００１９】
以上の如く構成することにより、ピント調整時には軸方向に充分な長さのある鏡筒１３の外周部を把持して回転させることができるので、非常に回転させ易く、鏡筒１３をロボットアームで把持して回転させる自動化も容易である。また、凹部１２ｃの位置が常に一定であるので、接着剤Ｓの注入に関しても自動化が容易である。更に、凹部１２ｃはかに目スパナで廻すためには用いないので、図１の如きレンズ調整機構の凹部２ｂと比較して小さくて済み、この結果、例えば図２に示す如く半径３．５５ｍｍに設定でき、図１の如きレンズ調整機構より外径寸法を小さくすることができる。
【００２０】
［第２の実施の形態］
レンズ調整機構の第２の実施の形態を図４及び図５に基づいて説明する。図４はレンズ調整機構の断面図、図５はレンズ調整機構の要部斜視図である。
【００２１】
図において、２１は撮像レンズである。２２は撮像レンズ２１を保持すると共に、第１の外周面２２ａより撮像レンズ２１の光軸Ｏと直交する方向に突出した二つの突出部２２ｂを有すると共に、突出部２２ｂにおける円弧状の第２の外周面に雄ネジ２２ｃを有するレンズ枠である。２３は内周面２３ａにて第１の外周面２２ａと嵌合する保持部材である。保持部材２３は案内部としての二つの大きな切り欠きを有し、該切り欠きの光軸Ｏの方向の側壁２３ｂに対して、レンズ枠２２の突出部２２ｂにおける光軸Ｏの方向の側壁２２ｄが摺接し、突出部２２ｂが該切り欠きに嵌合している。２４は長溝２３ｂより突出した雄ネジ２２ｃと螺合する雌ネジ２４ａを内周面に有する調整治具である。２５は被写体像を撮像レンズ２１によって結像するＣＣＤ等の撮像素子であって、プリント配線基板２６に実装され、プリント配線基板２６は保持部材２３に取り付けられている。２７は見苦しい部分を被覆する化粧板である。
【００２２】
このように構成したレンズ調整機構において、調整治具２４の雌ネジ２４ａをレンズ枠２２の雄ネジ２２ｃに螺合させ、調整治具２４の被写体側の内面を保持部材２３の被写体側の端面に当接させて調整治具２４を一定位置に保って回転させる。この際に、レンズ枠２２の二つの突出部２２ｂが各々保持部材２３の二つの切り欠きに嵌合しているので、レンズ枠２２は保持部材２３に対して回転することができず、直進移動のみ可能である。従って、調整治具２４を定位置で回転させ、雌ネジ２４ａと螺合する雄ネジ２２ｃを介して、レンズ枠２２を光軸Ｏの方向に直進移動させて、撮像レンズ２１の撮像素子２５へのピント位置を調整する。
【００２３】
ここで、レンズ枠２２には被写体側の面に第１の外周面２２ａの一部を切り欠いた二つの凹部２２ｅを設けてある。そこで、ピント調整後に、凹部２２ｅに接着剤を注入し、レンズ枠２２と保持部材２３とを接合する。続いて、保持部材２３の切り欠きの結像面側には突出部２２ｂとの間に空隙が形成され、この空隙から塵等の異物が浸入する虞があるので、この空隙を接着剤Ｓ等により密閉する。そして、接着剤が固化した後に調整治具２４を抜脱する。
【００２４】
なお、レンズ枠２２における結像面側の端部２２ｆは保持部材２３の切り欠きにおける結像面側の端部より常に結像面側に位置しているので、これによっても前記空隙からの異物の浸入を防止している。
【００２５】
以上の如く構成することにより、ピント調整時には軸方向に充分な長さのある調整治具２４の外周部を把持して回転させることができるので、非常に回転させ易く、調整治具２４をロボットアームで把持して回転させる自動化も容易である。また、凹部２２ｅの位置が常に一定であるので、接着剤Ｓの注入に関しても自動化が容易である。更に、凹部２２ｅはかに目スパナで廻すためには用いないので、図１の如きレンズ調整機構の凹部２ｂと比較して小さくて済み、この結果、例えば図４に示す如く半径３．７ｍｍに設定でき、図１の如きレンズ調整機構より外径寸法を小さくすることができる。
【００２６】
［第３の実施の形態］
レンズ調整機構の第３の実施の形態を図６及び図７に基づいて説明する。図６はレンズ調整機構の断面図、図７はレンズ調整機構の要部斜視図である。
【００２７】
図において、３１は撮像レンズである。３２は撮像レンズ３１を保持し、且つ、外周面より撮像レンズ３１の光軸Ｏと直交する方向に突出した二つの突出部３２ａを有すると共に、光軸Ｏと直交する方向に各々の突出部３２ａより突出したカムピン３２ｂを有するレンズ枠である。３３は突出部３２ａにおける光軸Ｏの方向の側壁と摺接して嵌合する案内部としての二つの長溝３３ａを有する保持部材である。３４はカムピン３２ｂと係合するカム溝３４ａを内周面に有する調整治具である。３５は被写体像を撮像レンズ３１によって結像するＣＣＤ等の撮像素子であって、プリント配線基板３６に実装され、プリント配線基板３６は保持部材３３に取り付けられている。３７は見苦しい部分を被覆する化粧板である。
【００２８】
このように構成したレンズ調整機構において、調整治具３４のカム溝３４ａをレンズ枠３２のカムピン３２ｂに係合させ、調整治具３４の結像面側の端部を保持部材３３に当接させながら、調整治具３４を一定位置に保って回転させる。この際に、レンズ枠３２の二つの突出部３２ａが各々二つの長溝３３ａと嵌合しているので、レンズ枠３２は保持部材３３に対して回転することができず、直進移動のみ可能である。従って、定位置で調整治具３４を回転させ、カム溝３４ａと係合するカムピン３２ｂを介して、レンズ枠３２を光軸Ｏの方向に直進移動させて、撮像レンズ３１の撮像素子３５へのピント位置を調整する。
【００２９】
ここで、レンズ枠３２には被写体側の面に外周面の一部を切り欠いた凹部３２ｃを設けてある。そこで、ピント調整後に、凹部３２ｃに接着剤Ｓを注入し、レンズ枠３２と保持部材３３とを接合する。そして、接着剤が固化した後に調整治具３４を抜脱する。続いて、長溝３３ａの結像面側には突出部３２ａとの間に空隙が形成され、この空隙から塵等の異物が浸入する虞があるので、この空隙を接着剤Ｓ等により密閉する。
【００３０】
なお、レンズ枠３２における結像面側の端部３２ｄは保持部材３３の長溝３３ａにおける結像面側の端部より常に結像面側に位置しているので、これによっても前記空隙からの異物の浸入を防止している。
【００３１】
以上の如く構成することにより、ピント調整時には軸方向に充分な長さのある調整治具３４の外周部を把持して回転させることができるので、非常に回転させ易く、調整治具３４をロボットアームで把持して回転させる自動化も容易である。また、凹部３２ｃの位置が常に一定であるので、接着剤Ｓの注入に関しても自動化が容易である。更に、凹部３２ｃはかに目スパナで廻すためには用いないので、図１の如きレンズ調整機構の凹部２ｂと比較して小さくて済み、この結果、例えば図６に示す如く半径３．３ｍｍに設定でき、図１の如きレンズ調整機構より外径寸法を小さくすることができる。但し、カムピン３２ｂのみはこの外径より突出している。
【００３２】
［第４の実施の形態］
レンズ調整機構の第４の実施の形態を図８及び図９に基づいて説明する。図８はレンズ調整機構の断面図、図９はレンズ調整機構の要部斜視図である。
【００３３】
図において、４１は撮像レンズである。４２は撮像レンズ４１を保持すると共に、外周面にカム溝４２ａを有し、且つ、撮像レンズ４１の光軸Ｏの方向であって撮像レンズ４１による結像面側に二つの突出部４２ｂを有するレンズ枠である。４３は突出部４２ｂと嵌合する案内部としての二つの長溝４３ａを有する保持部材である。４４はカム溝４２ａと係合するカムピン４４ａを内周面に有し、後述する接着のために大きく開口した開口部４４ｂを有する調整治具である。４５は被写体像を撮像レンズ４１によって結像するＣＣＤ等の撮像素子であって、プリント配線基板４６に実装され、プリント配線基板４６は保持部材４３に取り付けられている。４７は見苦しい部分を被覆する化粧板である。
【００３４】
このように構成したレンズ調整機構において、調整治具４４のカムピン４４ａをレンズ枠４２のカム溝４２ａに係合させ、調整治具４４の結像面側の端部を保持部材４３に当接させながら、調整治具４４を一定位置に保って回転させる。この際に、レンズ枠４２の二つの突出部４２ｂが各々二つの長溝４３ａと嵌合しているので、レンズ枠４２は保持部材４３に対して回転することができず、直進移動のみ可能である。従って、定位置で調整治具４４を回転させ、カムピン４４ａと係合するカム溝４２ａを介して、レンズ枠４２を光軸Ｏの方向に直進移動させて、撮像レンズ４１の撮像素子４５へのピント位置を調整する。
【００３５】
ピント調整後には、調整治具４４の開口部４４ｂより接着剤Ｓを注入し、レンズ枠４２と保持部材４３とを接合する。なお、接着剤Ｓを注入し易いように、また、ＵＶ接着剤の場合には光が照射し易いように、開口部４４ｂの下面は傾斜面４４ｃに形成されている。そして、接着剤が固化した後に調整治具４４を抜脱する。
【００３６】
なお、レンズ枠４２における結像面側の端部４２ｃは保持部材４３の被写体側の端部より常に結像面側に位置しているので、レンズ枠４２と保持部材４３との間隙より異物が浸入することがない。
【００３７】
以上の如く構成することにより、ピント調整時には軸方向に充分な長さのある調整治具４４の外周部を把持して回転させることができるので、非常に回転させ易く、調整治具４４をロボットアームで把持して回転させる自動化も容易である。また、接着位置を常に一定にすることができるので、接着剤Ｓの注入に関しても自動化が容易である。更に、例えば図８に示す如く半径３．７ｍｍに設定でき、図１の如きレンズ調整機構より外径寸法を小さくすることができる。
【図面の簡単な説明】
【００３８】
【図１】レンズ調整機構の一例である。
【図２】レンズ調整機構の第１の実施の形態の断面図である。
【図３】レンズ調整機構の第１の実施の形態の要部斜視図である。
【図４】レンズ調整機構の第２の実施の形態の断面図である。
【図５】レンズ調整機構の第２の実施の形態の要部斜視図である。
【図６】レンズ調整機構の第３の実施の形態の断面図である。
【図７】レンズ調整機構の第３の実施の形態の要部斜視図である。
【図８】レンズ調整機構の第４の実施の形態の断面図である。
【図９】レンズ調整機構の第４の実施の形態の要部斜視図である。
【符号の説明】
【００３９】
１，１１，２１，３１，４１  撮像レンズ
２，１２，２２，３２，４２  レンズ枠
２ａ，１２ａ，２２ｃ  雄ネジ
４，１４，２３，３３，４３  保持部材
４ａ，１３ａ，２４ａ  雌ネジ
５，１５，２５，３５，４５  撮像素子
１３  鏡筒
２２ｂ，３２ａ，４２ｂ  突出部
２３ｂ，３３ａ，４３ａ  長溝
２４，３４，４４  調整治具
３２ｂ，４４ａ  カムピン
３４ａ，４２ａ  カム溝
Ｏ  光軸
Ｓ  接着剤
【図１】
2008064942.tif 000003
【図２】
2008064942.tif 000004
【図３】
2008064942.tif 000005
【図４】
2008064942.tif 000006
【図５】
2008064942.tif 000007
【図６】
2008064942.tif 000008
【図７】
2008064942.tif 000009
【図８】
2008064942.tif 000010
【図９】
2008064942.tif 000011